(57)【要約】【課題】構造が安定し、しっかりと連接する信号伝送インターフェイスに適用するケーブル連接ユニットを提供する。      【解決手段】信号伝送インターフェイスに適用するケーブル連接ユニットは、フレキシブルフラットケーブル及びコネクターを備える。該フレキシブルフラットケーブルは、複数の芯線を備え、該コネクターはプラスチック本体及び複数の電気連接する端子を備える。特に該プラスチック本体のフレキシブルフラットケーブルに相対する一端には複数の特定間隔の切欠槽を備えて各端子を定位させ、各端子間に特定間隔を形成し、各芯線と切欠槽内の各端子が固定して同時にコネクターとの接合を形成する。【選択図】図３
0003153233.tif 000002
【実用新案登録請求の範囲】
【請求項１】
複数の芯線を備えたフレキシブルフラットケーブル(FFC，Flexible Flat Cable)と、
プラスチック本体，及び電気連結する複数の端子を備え、該プラスチック本体の該フレキシブルフラットケーブルに相対する一端には、各端子を差し込むための露出した開放ゾーンを設置し、及び開放ゾーンには、複数の切欠槽を設置して各端子を定位させ、これら切欠槽の間には、特定の間隔を備え、各端子間には、特定の間隔を備え、各芯線に対してはんだを施すことにより、切欠槽と中の各端子をはんだ付けで固定し、同時に接合する少なくとも一つのコネクターを含む信号伝送インターフェイスに適用するケーブル連接ユニットにおいて、そのうち，
該フレキシブルフラットケーブルは、ゴムシート外の各芯線から露出し、その長さは各端子に設置した切欠槽の中の長さより長く、その幅はこれら切欠槽の幅より小さく、及び芯線の幅はこれら各端子の幅より小さいことを特徴とする信号伝送インターフェイスに適用するケーブル連接ユニット。
【請求項２】
前記信号伝送インターフェイスは、低電圧差動信号(LVDS,Low Voltage
Differential Signaling) インターフェイスであることを特徴とする請求項１記載の信号伝送インターフェイスに適用するケーブル連接ユニット。
【請求項３】
前記信号伝送インターフェイスは、V-by-oneインターフェイスであることを特徴とする請求項１記載の信号伝送インターフェイスに適用するケーブル連接ユニット。
【請求項４】
前記信号伝送インターフェイスは、DisplayPortインターフェイスであることを特徴とする請求項１記載の信号伝送インターフェイスに適用するケーブル連接ユニット。
【請求項５】
前記プラスチック本体は、すべての芯線を隔てて配列するのに用いることを特徴とする請求項１、２、３もしくは４記載の信号伝送インターフェイスに適用するケーブル連接ユニット。
【請求項６】
前記プラスチック本体は、フレキシブルフラットケーブルに対応する最上面もしくは底部に少なくとも一つの金属カバーを設置してフレキシブルフラットケーブルを支持することを特徴とする請求項１、２、３もしくは４記載の信号伝送インターフェイスに適用するケーブル連接ユニット。
【請求項７】
前記フレキシブルフラットケーブルは、すべての芯線の上、下位置にすべての芯線を固定するゴムシートを設置することを特徴とする請求項１、２、３もしくは４記載の信号伝送インターフェイスに適用するケーブル連接ユニット。
【請求項８】
前記プラスチック本体は、各端子をそれぞれ差し込むために用いる穿孔を複数設置することを特徴とする請求項１、２、３もしくは４記載の信号伝送インターフェイスに適用するケーブル連接ユニット。
【請求項９】
前記プラスチック本体は、各端子をそれぞれ差し込むために用いる穿孔を複数設置し、更に該フレキシブルフラットケーブルに相対する別端には、各端子の末端をそれぞれ差し込むために用いる固定孔を複数設置することを特徴とする請求項１、２、３もしくは４記載の信号伝送インターフェイスに適用するケーブル連接ユニット。
【考案の詳細な説明】
【技術分野】
【０００１】
本考案は、信号伝送インターフェイスに適用するケーブル連接ユニットに関するもので、特に構造が安定し、信頼度の高いケーブル連接ユニット構造に係わる。
【背景技術】
【０００２】
電子産業に於いて普遍的に使用されているケーブルは、主にボード端とボード端の連接で、例を挙げると、一部のノート型パソコンではフレキシブルプリント基板(FPC)を採用してノート型パソコンのLCDスクリーンとメインシステムの信号伝送の連接ユニットとして使用されている。また他に一種のマイクロ同軸ケーブルアセンブリ(Micro Coaxial Ｃable Assembly)では特性抵抗が正確で、耐折曲性が高いため、ノート型パソコンのような反応の速い市場に於いて優勢であり、ノート型パソコンは徐々にデスクトップパソコンに取って代わろうとしている。更に薄型化商品の潮流の中に於いて、芯線はノート型メーカーの要求を満たしており、更にはフレキシブルプリント基板(FPC)に変わりつつある。
【０００３】
類似のケーブル構造は、ほとんどが図１に示すとおりで、特定数量の芯線が配列して構成されたフレキシブルフラットケーブル(FFC，Flexible Flat Cable)１０構造であり、そのフレキシブルフラットケーブル１０は、すべての芯線１１の上下位置に芯線１１を固定するゴムシート１２を設置している。使用時、更に線体１０の端部にコネクター２０を結合してケーブル連接ユニットを構成し、コネクター２０を通してメインボード３０上に相対して設置する連接ポート３１と電気連接を構成する。
【０００４】
図２に示すとおり、公知のケーブル連接ユニット内のコネクター２０は、プラスチック本体２１を設置してそこに各芯線１１をそれぞれ配列し、及びプラスチック本体２１上、下方に相互に接合する金属カバー２２を設置し、主に二個の金属カバー２２の組立圧合作用によって、フレキシブルフラットケーブル１０とコネクター２０の接合を構成する。
【考案の概要】
【考案が解決しようとする課題】
【０００５】
解決しようとする問題点は、この種の設計は、強度が不足するため、ケーブル連接ユニットと伝送ポートを抜いた時、フレキシブルフラットケーブル１０がコネクター２０から外れてしまいやすい点である。
【課題を解決するための手段】
【０００６】
本考案は、フレキシブルフラットケーブル及びコネクターを備える。該フレキシブルフラットケーブルは、複数の芯線を備え、該コネクターはプラスチック本体及び複数の電気連接する端子を備える。特に該プラスチック本体のフレキシブルフラットケーブルに相対する一端には複数の特定間隔の切欠槽を備えて各端子を定位させ、各端子間に特定間隔を形成し、各芯線と切欠槽内の各端子が固定して同時にコネクターとの接合を形成することを最も主要な特徴とする。
【考案の効果】
【０００７】
本考案の信号伝送インターフェイスに適用するケーブル連接ユニットは、下述の利点がある。
一、加工する時、錫が漏れにくい。
二、ショートしにくい。
三、信号伝送が公知の単一接触式より良く、連接ユニット全体の品質及び信頼度を有効に向上させる。
四、機械全体の強度が良い。
五、コネクターの構造が大幅に簡素化され、全体の高さが低くなり、空間を節約する。
【図面の簡単な説明】
【０００８】
【図１】公知ケーブル連接ユニットの外観構造図である。
【図２】公知ケーブル連接ユニットのコネクター構造分解図である。
【図３】本考案のケーブル連接ユニットの外観立体図である。
【図４】本考案のケーブル連接ユニットの構造分解図である。
【図５】本考案のケーブル連接ユニットの構造断面図である。
【図６】本考案のケーブル連接ユニットの別一構造断面図である。
【考案を実施するための形態】
【０００９】
構造が安定し、信頼度の高い信号伝送インターフェイスに適用するケーブル連接ユニット構造を提供する事を本考案の主な目的とする。
【００１０】
上述の目的を達成するため、本考案の信号伝送インターフェイスに適用するケーブル連接ユニットは、フレキシブルフラットケーブル(FFC，Flexible Flat Cable)、及びフレキシブルフラットケーブル端部に設置する少なくとも一コネクターを備える。そのうち，フレキシブルフラットケーブルは、複数の芯線を備え、コネクターはすべての芯線を別々に配列するのに用いるプラスチック本体、電気連接する複数の端子，及びフレキシブルフラットケーブルを支持する少なくとも一金属カバーを備える。特にプラスチック本体のフレキシブルフラットケーブルに相対する一端には各端子を差し込むための露出した開放ゾーンを設置し、及び開放ゾーンに複数の切欠槽を設置して各端子を定位し、またこれら切欠槽の間は特定の間隔を備え、それによって各端子間に特定の間隔を形成し、更に各芯線に対してはんだを施すことによって、切欠槽内の各端子と固定され、同時にコネクターとの接合を構成し、構造が安定し、信頼度の高いケーブル連接ユニット構造となる。
【実施例】
【００１１】
本考案の特徴を、図式及び実施例を挙げて詳細に説明する。
図３及び図４に示すとおり、本考案は、信号伝送インターフェイスに適用するケーブル連接ユニットである。該信号伝送インターフェイスは、例として低電圧差動信号(LVDS,Low Voltage Differential Signaling) インターフェイス、V-by-oneインターフェイス及びDisplayPortインターフェイス，フレキシブルフラットケーブル(FFC，Flexible Flat Cable)４０及びコネクター５０二個部分を含み、メインボード上の伝送ポートと接合する連接ユニット構造である。そのうち、
【００１２】
フレキシブルフラットケーブル４０は、複数の芯線４１を備える。実施時、フレキシブルフラットケーブル４０は、すべての芯線４１の上下位置に芯線４１を固定するゴムシート４２を設置する。該コネクター５０は、すべての芯線４１を分け隔てて配列するのに用いるプラスチック本体５１、電気連接する複数の端子５３、及びフレキシブルフラットケーブル４０（該金属カバー５２はフレキシブルフラットケーブル４０最上面もしくは底部に設置してもよい）を支持する少なくとも一つの金属カバー５２を備える。
【００１３】
図５及び図６に示すとおり、上述のコネクター５０のプラスチック本体５１は、フレキシブルフラットケーブル４０に相対する一端に各端子５３を設置してそれを露出した開放ゾーン５１１に差しこみ、更に開放ゾーンには複数の切欠槽５１４を設置して各端子５３を定位させる。また該複数の切欠槽５１４の間には特定の間隔を備え、各端子５３の間に特定の間隔を形成し、フレキシブルフラットケーブル４０とコネクター５０を組み立てた時、図３及び図５に示すとおり、各芯線４１に対してはんだ６０を施すことで、切欠槽５１４内の各端子５３とはんだ付けされて固定し、同時にコネクター５０との接合が形成される。
【００１４】
更に該フレキシブルフラットケーブル４０は、ゴムシート４２外から各芯線４１が露出し、その長さは各端子５３に設置した切欠槽５１４の長さより長く、その幅は該些切欠槽５１４の幅より小さく、更に芯線４１の幅はこれら各端子５３の幅より小さい。
【００１５】
具体的に実施する時、該プラスチック本体５１は、各端子５３を差し込む穿孔５１２をいくつかに分けて設置し、更にフレキシブルフラットケーブル４０に相対する別端には各端子５３末端を差し込む固定孔５１３を複数個設置し、各端子５３末端が開いたり、跳ねたりするのを有効に防止する。
【００１６】
本考案の信号伝送インターフェイスに適用するケーブル連接ユニットは、はんだで各芯線をコネクターの各芯線上に確実に粘着して固定することで、コネクターの構造を大幅に簡略化するだけでなく、更にケーブル連接ユニット全体の品質及び信頼度を大幅に向上させる。
【００１７】
上述のとおり、本考案は信号伝送インターフェイスに適用するケーブル連接ユニット構造を提供し、実用新案を申請する。更に本考案の技術内容及び技術特徴は既に上述したとおりである。しかしながら、本領域に習熟するものが本考案に示す本考案の創作精神から乖離しない各種の入替、修飾を実施するかもしれない。そのため、本考案の保護範囲は、実施例に依って制限されず、本考案から乖離しない各種の入替及び修飾を含み、以下の請求範囲に含まれる。
【符号の説明】
【００１８】
１０        フレキシブルフラットケーブル
１１        芯線
１２        ゴムシート
２０        コネクター
２１        プラスチック本体
２２        金属カバー
３０        メインボード
３１        連接ポート
４０        フレキシブルフラットケーブル
４１        芯線
４２        ゴムシート
５０        コネクター
５１        プラスチック本体
５１１        開放ゾーン
５１２        穿孔
５１３        固定孔
５１４        切欠槽
５２        金属カバー
５３        端子
６０        はんだ
【図１】
0003153233.tif 000003
【図２】
0003153233.tif 000004
【図３】
0003153233.tif 000005
【図４】
0003153233.tif 000006
【図５】
0003153233.tif 000007
【図６】
0003153233.tif 000008